(57)【要約】【課題】録画済みのコンテンツ以外の情報をコンテンツに関連する情報として表示することができるようにする。【解決手段】所定の番組が選択された状態で、その番組に関連する情報である関連情報を表示することが指示されたとき、録画装置１においては、ECGサーバ３に対して問い合わせが行われることによって関連情報が取得されるとともに、内部で管理されている情報を対象として検索が行われることによって関連情報が取得される。取得された関連情報は一覧表示され、ユーザに提示される。例えば、録画装置１の内部で管理されている情報からは、録画済みの番組の情報、放送中の番組の情報、放送予定の番組の情報が取得され、ECGサーバ３からは、Webサイトの情報が取得される。本発明は、ハードディスクレコーダなどの録画装置に適用することができる。【選択図】図１
2009060328.tif 000002
【特許請求の範囲】
【請求項１】
録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、
関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示する
表示制御手段を備える情報処理装置。
【請求項２】
ネットワークを介して接続されるサーバと通信を行い、前記所定のコンテンツの関連情報としてのWebサイトの情報、放送中のコンテンツの情報、および放送予定のコンテンツの情報を取得する取得手段と、
前記所定のコンテンツの関連情報としての録画済みのコンテンツの情報、放送中のコンテンツの情報、放送予定のコンテンツの情報を管理する管理手段と
をさらに備え、
前記表示制御手段は、前記取得手段により取得されたWebサイトの情報、放送中のコンテンツの情報、および放送予定のコンテンツの情報と、前記管理手段により管理されている録画済みのコンテンツの情報、放送中のコンテンツの情報、および放送予定のコンテンツの情報とを前記所定のコンテンツの関連情報として並べて表示する
請求項１に記載の情報処理装置。
【請求項３】
録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、
関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示する
ステップを含む情報処理方法。
【請求項４】
録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、
関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示する
ステップを含む処理をコンピュータに実行させるプログラム。
【請求項５】
放送中の、または録画済みのコンテンツの映像を表示している状態で前記コンテンツに関する操作のメニューを表示することが指示されたとき、関連情報を表示するときに選択される項目を含む前記メニューを表示し、
関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示する
表示制御手段を備える情報処理装置。
【請求項６】
ネットワークを介して接続されるサーバと通信を行い、前記コンテンツの関連情報としてのWebサイトの情報、放送中のコンテンツの情報、および放送予定のコンテンツの情報を取得する取得手段と、
前記コンテンツの関連情報としての録画済みのコンテンツの情報、放送中のコンテンツの情報、放送予定のコンテンツの情報を管理する管理手段と
をさらに備え、
前記表示制御手段は、前記取得手段により取得されたWebサイトの情報、放送中のコンテンツの情報、および放送予定のコンテンツの情報と、前記管理手段により管理されている録画済みのコンテンツの情報、放送中のコンテンツの情報、および放送予定のコンテンツの情報とを前記コンテンツの関連情報として並べて表示する
請求項５に記載の情報処理装置。
【請求項７】
放送中の、または録画済みのコンテンツの映像を表示している状態で前記コンテンツに関する操作のメニューを表示することが指示されたとき、関連情報を表示するときに選択される項目を含む前記メニューを表示し、
関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示する
ステップを含む情報処理方法。
【請求項８】
放送中の、または録画済みのコンテンツの映像を表示している状態で前記コンテンツに関する操作のメニューを表示することが指示されたとき、関連情報を表示するときに選択される項目を含む前記メニューを表示し、
関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示する
ステップを含む処理をコンピュータに実行させるプログラム。
【発明の詳細な説明】
【技術分野】
【０００１】
本発明は、情報処理装置、情報処理方法、およびプログラムに関し、特に、録画済みのコンテンツ以外の情報をコンテンツに関連する情報として表示することができるようにした情報処理装置、情報処理方法、およびプログラムに関する。
【背景技術】
【０００２】
ハードディスクレコーダなどの録画装置の中には、番組（コンテンツ）の出演者の名前などをキーワードとして、録画済みの番組を検索することができるような機能が搭載されているものがある。
【０００３】
録画済みの番組には例えばEPG(Electronic Program Guide)データから取得された番組のタイトル、出演者名、概要から抽出された単語などがキーワードとして対応付けて管理されており、ユーザにより選択されたキーワードと同じキーワードが対応付けて管理されている番組の検索が行われる。
【０００４】
検索によって得られた録画済みの番組の情報はユーザに提示され、ユーザは、その中から所定の番組を選択することによって、録画済みの番組の再生を開始させることができる。
【特許文献１】特開２００３−１５７２８２号公報
【発明の開示】
【発明が解決しようとする課題】
【０００５】
このような機能においては、検索の対象となる範囲は録画済みの番組だけであるから、当然、録画済みの番組の情報しかユーザには提示されない。
【０００６】
本発明はこのような状況に鑑みてなされたものであり、録画済みのコンテンツ以外の情報をコンテンツに関連する情報として表示することができるようにするものである。
【課題を解決するための手段】
【０００７】
本発明の第１の側面の情報処理装置は、録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示する表示制御手段を備える。
【０００８】
ネットワークを介して接続されるサーバと通信を行い、前記所定のコンテンツの関連情報としてのWebサイトの情報、放送中のコンテンツの情報、および放送予定のコンテンツの情報を取得する取得手段と、前記所定のコンテンツの関連情報としての録画済みのコンテンツの情報、放送中のコンテンツの情報、放送予定のコンテンツの情報を管理する管理手段とをさらに設けることができる。この場合、前記表示制御手段には、前記取得手段により取得されたWebサイトの情報、放送中のコンテンツの情報、および放送予定のコンテンツの情報と、前記管理手段により管理されている録画済みのコンテンツの情報、放送中のコンテンツの情報、および放送予定のコンテンツの情報とを前記所定のコンテンツの関連情報として並べて表示させることができる。
【０００９】
本発明の第１の側面の情報処理方法またはプログラムは、録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示するステップを含む。
【００１０】
本発明の第２の側面の情報処理装置は、放送中の、または録画済みのコンテンツの映像を表示している状態で前記コンテンツに関する操作のメニューを表示することが指示されたとき、関連情報を表示するときに選択される項目を含む前記メニューを表示し、関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示する表示制御手段を備える。
【００１１】
ネットワークを介して接続されるサーバと通信を行い、前記コンテンツの関連情報としてのWebサイトの情報、放送中のコンテンツの情報、および放送予定のコンテンツの情報を取得する取得手段と、前記コンテンツの関連情報としての録画済みのコンテンツの情報、放送中のコンテンツの情報、放送予定のコンテンツの情報を管理する管理手段とをさらに設けることができる。この場合、前記表示制御手段には、前記取得手段により取得されたWebサイトの情報、放送中のコンテンツの情報、および放送予定のコンテンツの情報と、前記管理手段により管理されている録画済みのコンテンツの情報、放送中のコンテンツの情報、および放送予定のコンテンツの情報とを前記コンテンツの関連情報として並べて表示させることができる。
【００１２】
本発明の第２の側面の情報処理方法またはプログラムは、放送中の、または録画済みのコンテンツの映像を表示している状態で前記コンテンツに関する操作のメニューを表示することが指示されたとき、関連情報を表示するときに選択される項目を含む前記メニューを表示し、関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示するステップを含む。
【００１３】
本発明の第１の側面においては、録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューが表示され、関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかが前記所定のコンテンツの関連情報として表示される。
【００１４】
本発明の第２の側面においては、放送中の、または録画済みのコンテンツの映像を表示している状態で前記コンテンツに関する操作のメニューを表示することが指示されたとき、関連情報を表示するときに選択される項目を含む前記メニューが表示され、関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかが前記コンテンツの関連情報として表示される。
【発明の効果】
【００１５】
本発明によれば、録画済みのコンテンツ以外の情報をコンテンツに関連する情報として表示することができる。
【発明を実施するための最良の形態】
【００１６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１７】
本発明の第１の側面の情報処理装置（例えば、図１の録画装置１）は、録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示する表示制御手段（例えば、図１２の表示制御部１２３）を備える。
【００１８】
この情報処理装置には、ネットワークを介して接続されるサーバと通信を行い、前記所定のコンテンツの関連情報としてのWebサイトの情報、放送中のコンテンツの情報、および放送予定のコンテンツの情報を取得する取得手段（例えば、図１２の関連情報取得部１２１）と、前記所定のコンテンツの関連情報としての録画済みのコンテンツの情報、放送中のコンテンツの情報、放送予定のコンテンツの情報を管理する管理手段（例えば、図１２の関連情報管理部１２２）とをさらに設けることができる。
【００１９】
本発明の第１の側面の情報処理方法またはプログラムは、録画済みのコンテンツの情報が並べて表示されるタイトルリストから所定のコンテンツが選択された状態で前記所定のコンテンツに関する操作のメニューを表示することが指示されたとき、関連情報を表示するときに選択される項目を含む前記メニューを表示し、関連情報を表示するときに選択される項目が前記メニューから選択されたとき、前記所定のコンテンツに関連する、録画済みのコンテンツの情報、放送中のコンテンツの情報、放送予定のコンテンツの情報、Webサイトの情報のうちの少なくともいずれかを前記所定のコンテンツの関連情報として表示するステップ（例えば、図１６のステップＳ２０）を含む。
【００２０】
本発明の第２の側面の情報処理装置（例えば、図１の録画装置１）は、放送中の、または録画済みのコンテンツの映像を表示している状態で前記コンテンツに関する操作のメニューを表示することが指示されたとき、関連情報を表示するときに選択される項目を含む前記メニューを表示し、関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示する表示制御手段（例えば、図１２の表示制御部１２３）を備える。
【００２１】
この情報処理装置には、ネットワークを介して接続されるサーバと通信を行い、前記所定のコンテンツの関連情報としてのWebサイトの情報、放送中のコンテンツの情報、および放送予定のコンテンツの情報を取得する取得手段（例えば、図１２の関連情報取得部１２１）と、前記所定のコンテンツの関連情報としての録画済みのコンテンツの情報、放送中のコンテンツの情報、放送予定のコンテンツの情報を管理する管理手段（例えば、図１２の関連情報管理部１２２）とをさらに設けることができる。
【００２２】
本発明の第２の側面の情報処理方法またはプログラムは、放送中の、または録画済みのコンテンツの映像を表示している状態で前記コンテンツに関する操作のメニューを表示することが指示されたとき、関連情報を表示するときに選択される項目を含む前記メニューを表示し、関連情報を表示するときに選択される項目が前記メニューから選択されたとき、前記コンテンツに関連する、録画済みのコンテンツの情報、放送中のコンテンツの情報、放送予定のコンテンツの情報、Webサイトの情報のうちの少なくともいずれかを前記コンテンツの関連情報として表示するステップ（例えば、図１６のステップＳ２０）を含む。
【００２３】
以下、本発明の実施の形態について図を参照して説明する。
【００２４】
図１は、本発明の一実施形態に係る録画装置１を含む通信システムの構成例を示す図である。
【００２５】
図１に示されるように、録画装置１にはテレビジョン受像機２がケーブルを介して接続され、また、ECG(Electronic Contents Guide)サーバ３がネットワーク４を介して接続される。
【００２６】
録画装置１はハードディスクを内蔵するデジタル録画機器であり、BS(Broadcasting Satellite)／CS(Communications Satellite)デジタル放送、地上デジタル放送、またはインターネットを介して行われる放送によって提供される番組の映像や音声をテレビジョン受像機２から出力させたり、番組のデータをハードディスクに記憶させ、録画を行ったりする。すなわち、録画装置１には、図示せぬアンテナからの信号などが供給されるようになされている。録画装置１は、録画済みの番組をユーザによる指示に応じて再生し、番組の映像や音声をテレビジョン受像機２から出力させる。
【００２７】
また、録画装置１は、放送波やインターネットを介して放送局などによって配信されるEPGデータを取得し、管理する。EPGデータには、それぞれの番組について、番組のタイトル、放送日時、ジャンル、出演者などの番組に関する情報が含まれる。
【００２８】
録画装置１は、所定の番組が選択された状態で、その番組に関連する情報である関連情報を表示することが指示されたとき、ECGサーバ３から関連情報を取得するとともに、内部で管理している情報の中から、選択されている番組の関連情報を取得する機能を有する。
【００２９】
例えば、録画装置１の内部で管理されている情報からは、選択されている番組に関連する録画済みの番組の情報、放送中の番組の情報、放送予定の番組の情報が関連情報として取得され、ECGサーバ３からは、選択されている番組に関連するWebサイトの情報が取得される。また、ECGサーバ３からは、放送中のコンテンツの情報、および放送予定のコンテンツの情報も取得される。
【００３０】
ECGサーバ３においては、このような関連情報が、放送済み、または放送中の各番組に対応付けて管理されている。また、ECGサーバ３においては、放送済み、または放送中の各番組に対応付けてキーワードが管理されたり、ある番組の関連番組として他の番組が対応付けて管理されたり、ある関連情報の関連情報として他の関連情報が対応付けて管理されたりしている。関連情報と各番組の対応付け、キーワードと各番組の対応付け、番組同士の対応付け、関連情報同士の対応付けは例えばECGサーバ３の管理者により手動で行われる。
【００３１】
各番組にはIDがそれぞれ設定されており、ECGサーバ３においては、IDを含む録画装置１からの問い合わせに応じて、同じIDが設定されている番組に対応付けて管理している関連情報やキーワード、あるいは関連番組の情報を取得し、録画装置１に提供することができるようになされている。
【００３２】
ECGサーバ３から、あるいは内部の情報から取得された関連情報は録画装置１によりテレビジョン受像機２に一覧表示される。ユーザは、録画済みの番組の情報以外の情報をも確認することができる。
【００３３】
ここで、録画装置１によりテレビジョン受像機２に表示される画面の例について説明する。
【００３４】
図２は、メニュー画面の例を示す図である。
【００３５】
図２に示されるようなメニュー画面が、例えば、リモートコントローラに設けられるホームキーがユーザにより押されたときに表示される。この画面から、ユーザは、放送波の選択や、選択した放送波で放送される番組の選択の他、録画装置１の各種の機能を選択することができる。なお、図２に示す点線は説明の便宜上付しているものであり、メニュー画面に実際に表示されるものではない。
【００３６】
リモートコントローラには、メニュー画面の表示に用いられるホームキーの他に、注目する対象を切り替えるときに操作される十字キー、カーソルで選択している対象を決定するときに操作される決定ボタン、タイトルリストから選択された番組を対象として行うことができる操作のメニュー（オプションメニュー）を表示するときに操作されるオプションボタンなどの各種のボタンが設けられる。
【００３７】
メニュー画面は、複数のカテゴリアイコンが一列に並ぶカテゴリアイコン配列Ｒ１と、カテゴリアイコン配列Ｒ１の中から選択されたカテゴリに属する項目を表す項目アイコンが一列に並ぶ項目アイコン配列Ｒ２が、画面中央を基準として若干左上の位置で交差することによって構成される。
【００３８】
図２に示されるように、例えば、カテゴリアイコン配列Ｒ１はテレビジョン受像機２の水平方向（横方向）に表示され、項目アイコン配列Ｒ２は、カテゴリアイコン配列Ｒ１の配列方向と直交する方向である垂直方向（縦方向）に表示される。
【００３９】
カテゴリアイコン配列Ｒ１として、図２の例においては、フォトカテゴリを表すフォトアイコン１１、ミュージックカテゴリを表すミュージックアイコン１２、ビデオカテゴリを表すビデオアイコン１３、地上波放送カテゴリを表す地上波放送アイコン１４、BS放送カテゴリを表すBS放送アイコン１５、CS放送カテゴリを表すCS放送アイコン１６、外部入力カテゴリを表す外部入力アイコン１７が表示されている。
【００４０】
また、図２の例においては、水平方向に配列して表示されるカテゴリアイコンの中からビデオアイコン１３が選択されており、この選択中のビデオアイコン１３が、他のカテゴリアイコンよりも若干大きく表示されている。ビデオアイコン１３の下には、ビデオカテゴリが選択されていることを表す「ビデオ」の文字が表示されている。
【００４１】
また、図２の例においては、ユーザにより選択されているビデオカテゴリに属する項目として、録画済みの番組の代表画である画像２１乃至２５が表示されている。画像２１乃至２５は例えば番組の録画時にEPGデータから取得されたものであり、番組のタイトル、放送時間、チャンネル番号などの情報とともに、番組のデータと対応付けて管理されている。図２の例においては、画像２１乃至２５のうちの画像２２がカーソルＣ1により囲まれ、画像２２を代表画とする番組が選択された状態とされている。
【００４２】
ビデオカテゴリは、録画済みの番組を扱う操作に関するカテゴリである。ユーザは、このビデオカテゴリを選択し、タイトルリストの中から所定の番組を選択することによって、録画済みの番組の視聴を開始するなどの各種の操作を行うことができる。
【００４３】
このようなメニュー画面において、ユーザは、基本的に、リモートコントローラに設けられる十字キーの横方向の操作（左右のボタン）でカテゴリを選択することができ、縦方向の操作（上下のボタン）で、選択しているカテゴリに属する項目を選択することができる。
【００４４】
ユーザによる横方向の操作に応じて、カテゴリアイコン配列Ｒ１を構成するカテゴリアイコン全体がまとめて移動して表示される。また、ユーザによる縦方向の操作に応じて、項目アイコン配列Ｒ２を構成する項目アイコン全体がまとめて移動して表示される。
【００４５】
例えば、ビデオカテゴリを選択している図２の状態で、ユーザが左ボタンを１回だけ押したとき、カテゴリアイコン配列Ｒ１を構成するカテゴリアイコン全体が右方向に移動し、いまビデオアイコン１３が表示されている位置にミュージックアイコン１２が表示され、ミュージックアイコン１２が表示されている位置にフォトアイコン１１が表示される。フォトアイコン１１が表示されている位置には、カテゴリアイコン配列Ｒ１上でフォトアイコン１１の左隣に配置される、図２の状態では表示されていないカテゴリアイコンが新たに表示される。
【００４６】
同様に、地上波放送アイコン１４が表示されている位置にビデオアイコン１３が表示され、BS放送アイコン１５が表示されている位置に地上波放送アイコン１４が表示され、CS放送アイコン１６が表示されている位置にBS放送アイコン１５が表示される。外部入力アイコン１７が表示されている位置にはCS放送アイコン１６が表示され、図２において右端に表示されている外部入力アイコン１７は表示されなくなる。
【００４７】
これにより、ビデオカテゴリに替えてミュージックカテゴリが選択された状態になり、ミュージックカテゴリに属する音楽コンテンツを表す画像が縦方向に並べて表示される。
【００４８】
一方、図２の状態でユーザが右ボタンを１回だけ押したとき、左ボタンを押したときと反対に、カテゴリアイコン配列Ｒ１を構成するカテゴリアイコン全体が左方向に移動し、地上波放送カテゴリが選択された状態になる。また、地上波放送カテゴリに属する項目を表す項目アイコンが縦方向に並べて表示される。
【００４９】
また、図２の状態でユーザが下ボタンを１回だけ押したとき、項目アイコン配列Ｒ２を構成する画像全体が上方向に移動し、画像２１は表示されなくなり、画像２２は、いま画像２１が表示されている位置に表示される。
【００５０】
また、画像２２が表示されている位置には画像２３が表示され、画像２２に替えて、画像２３がカーソルＣ1で囲まれた状態になる。画像２３が表示されている位置には画像２４が表示され、画像２４が表示されている位置には画像２５が表示される。画像２５が表示されている位置には、画像２５の下に配置される、図２の状態では表示されていない画像が新たに表示される。
【００５１】
図２の状態でユーザが上ボタンを１回だけ押したとき、下ボタンを押したときと反対に、項目アイコン配列Ｒ２を構成する画像全体が下方向に移動し、画像２５は表示されなくなり、画像２４は、いま画像２５が表示されている位置に表示される。
【００５２】
また、画像２４が表示されている位置には画像２３が表示され、画像２３が表示されている位置には画像２２が表示される。画像２２が表示されている位置には画像２１が表示され、画像２２に替えて、画像２１がカーソルＣ1で囲まれた状態になる。画像２１が表示されている位置には、画像２１の上に配置される、図２の状態では表示されていない画像が新たに表示される。
【００５３】
なお、ビデオカテゴリが選択されているときに項目アイコンとして表示されるそれぞれの画像の右隣には、１つの番組が選択された状態で所定の時間が経過するまでの間、それぞれの画像を代表画とする録画済みの番組のタイトル、放送日時、チャンネルなどの情報が表示される。
【００５４】
図３は、画像２２がカーソルＣ1によって選択されている図２の状態で所定の時間が経過したときのタイトルリストの表示例を示す図である。図２と同じ表示には同じ符号を付してある。重複する説明については適宜省略する。
【００５５】
画像２２がカーソルＣ1によって選択された状態で所定の時間が経過したとき、図３に示されるように、画像２２を代表画とする録画済みの番組の情報だけが表示され、他の画像を代表画とする録画済みの番組の情報の表示は消えた状態になる。画像２２の右隣には、画像２２を代表画とする録画済みの番組のタイトルを表す「早川伸木の夢  ＃０８」と、放送日時を表す「３／２（木）  １０：００ＰＭ」、放送時間を表す「０Ｈ３５Ｍ」（３５分）、チャンネル番号を表す「０８１ch」などの情報が表示されている。画像２２を代表画とする録画済みの番組は連続ドラマであり、タイトルに含まれる「＃０８」は放送回を表す。
【００５６】
図４は、図３の状態でリモートコントローラに設けられるオプションボタンが１回だけ押されたときに表示されるタイトルリストの例を示す図である。
【００５７】
図３の状態でオプションボタンが押されたとき、図４に示されるように、カテゴリアイコンやタイトルリストの文字に重ねて、画面の右端にオプションメニューＭが表示される。図４の例においては、ユーザにより選択されている画像２２を代表画とする番組を対象として行うことができる操作として「関連情報」の項目がオプションメニューＭに表示されている。「関連情報」は、ユーザにより選択されている番組の関連情報を表示するときに選択される項目である。
【００５８】
図５は、図４のオプションメニューＭから「関連情報」の項目が選択されたときに表示される関連情報の一覧の例を示す図である。
【００５９】
「関連情報」の項目が選択されたとき、図５に示されるように、カテゴリアイコンの表示とビデオカテゴリに属する項目の表示は消え、左端に表示されたアイコン３１の右側に、縦方向に並べて、ユーザにより選択されている番組の関連情報を表す画像である画像４１乃至４６が表示される。
【００６０】
すなわち、オプションメニューＭから「関連情報」の項目が選択されたとき、録画装置１においては、ユーザにより選択されている番組の関連情報の問い合わせがECGサーバ３に対して行われ、問い合わせに応じてECGサーバ３から送信されてきた関連情報が取得される。
【００６１】
また、録画装置１においては、ユーザにより選択されている番組の関連情報の検索が内部で管理されている情報を対象として行われ、関連情報が取得される。
【００６２】
ECGサーバ３から取得された関連情報と内部の情報から取得された関連情報は所定の順番でソートされ、図５に示されるように、両者の関連情報が混在して並べて表示される。
【００６３】
図５の例において、画像４１は、ユーザにより選択されている番組（「早川伸木の夢  ＃０８」）の次回予告の番組（宣伝番組）を表す画像であり、右隣には、関連情報の種類が宣伝番組であることを表す「予告」の文字と、宣伝対象としている番組のタイトルを表す「早川伸木の夢  ＃０９」の文字が表示されている。宣伝対象としている番組のタイトルの下には、宣伝対象としている番組の放送日時を表す「３／９（木）  １０：００ＰＭ」、放送時間を表す「０Ｈ３５Ｍ」（３５分）、チャンネル番号を表す「０８１ch」などの情報も表示されている。
【００６４】
連続ドラマなどの、番組の終わりの部分に次回予告が含まれるような番組の録画が行われたとき、録画装置１においては、その次回予告の部分も１つの録画済みの番組として扱われる。録画が行われた番組のうちのどの部分が次回予告の部分であるのかは、例えば放送波に含まれる情報やECGサーバ３から送信されてきた情報に基づいて判断される。画像４１により表される宣伝番組は、図３、図４のタイトルリストにおいて録画済みの番組として表示されている「早川伸木の夢  ＃０８」の番組の終わりの部分から抽出されたものである。
【００６５】
CM中に放送される宣伝番組などもECGサーバ３から送信されてきた情報に基づいて判別され、自動的に録画が行われる。CM中に放送された宣伝番組も、録画済みの番組から抽出された次回予告の宣伝番組と同様に、録画済みの１つの番組として録画装置１において扱われる。
【００６６】
画像４２は、ユーザにより選択されている番組の前回放送分の録画済みの番組を表す画像であり、右隣には、関連情報の種類が録画済みの番組であることを表す「Title」の文字と、録画済みの番組のタイトルを表す「早川伸木の夢  ＃０７」の文字が表示されている。録画済みの番組のタイトルの下には、番組の放送日時を表す「２／２３（木）  １０：００ＰＭ」、放送時間を表す「０Ｈ３５Ｍ」、チャンネル番号を表す「０８１ch」などの情報も表示されている。
【００６７】
画像４３は、ユーザにより選択されている番組の出演者である「三沢寿明」の情報が掲載されたWebサイトを表す画像であり、右隣には、関連情報の種類がWebサイトであることを表す「Web」の文字と、Webサイトの名前を表す「三沢寿明のプロフィール」の文字が表示されている。図５の例においては、画像４３がカーソルＣ2によって囲まれており、「三沢寿明のプロフィール」のWebサイトが選択された状態とされている。
【００６８】
画像４４は、ユーザにより選択されている番組の情報が掲載されたWebサイトを表す画像であり、右隣には、関連情報の種類がWebサイトであることを表す「Web」の文字と、Webサイトの名前を表す「早川伸木の夢  番組公式ページ」の文字が表示されている。
【００６９】
画像４５は、ユーザにより選択されている番組の出演者である「三沢寿明」が出演している放送予定の番組の宣伝番組を表す画像であり、右隣には、関連情報の種類が宣伝番組であることを表す「予告」の文字と、宣伝対象としている番組のタイトルを表す「黒い巨塔  ＃０８」の文字が表示されている。宣伝対象としている番組のタイトルの下には、宣伝対象としている番組の放送日時を表す「３／４（土）  １０：００ＰＭ」、チャンネル番号を表す「０６１ch」などの情報も表示されている。
【００７０】
画像４６は、ユーザにより選択されている番組に関連するグッズを販売しているWebサイトを表す画像であり、右隣には、関連情報の種類がEC(Electronic Commerce)サイトであることを表す「Shop」の文字と、関連グッズの名前を表す「早川伸木の夢（１）」の文字が表示されている。
【００７１】
以上のような関連情報のうち、画像４１により表される録画済みの宣伝番組と、画像４２により表される録画済みの番組と、画像４５により表される録画済みの宣伝番組は例えば録画装置１の内部の情報から取得された関連情報である。一方、画像４３により表されるWebサイトと、画像４４により表されるWebサイトと、画像４６により表されるECサイトはECGサーバ３から取得された関連情報である。録画済みの宣伝番組についても、その関連情報がECGサーバ３から取得されることがある。
【００７２】
ユーザは、図５の一覧において、カーソルＣ2によって所定の関連情報を選択し、所定の操作を行うことによって関連情報の詳細を見ることができる。
【００７３】
例えば、画像４１によって表される録画済みの宣伝番組が選択され、所定の操作が行われた場合、「早川伸木の夢  ＃０９」の番組を宣伝対象としている宣伝番組（予告）の再生が行われたり、宣伝対象の番組の録画予約の設定を行う画面が表示される。
【００７４】
また、画像４２によって表される録画済みの番組が選択され、所定の操作が行われた場合、録画済みの番組である「早川伸木の夢  ＃０７」の再生が行われる。
【００７５】
画像４３によって表されるWebサイトが選択され、所定の操作が行われた場合、Webブラウザが起動し、テレビジョン受像機２には、図５の画面に替えて「三沢寿明のプロフィール」のWebサイトの画面が表示される。関連情報として取得された「三沢寿明のプロフィール」の情報には、そのWebサイトにアクセスするためのURL(Uniform Resource Locator)なども含まれている。
【００７６】
このように、ユーザは、タイトルリストで録画済みの番組を選択し、関連情報の表示を指示するだけで、録画済みの他の番組の情報だけでなく、ECGサーバ３から取得されたWebサイトの情報なども確認することができる。
【００７７】
なお、放送中の番組の情報が関連情報として表示されており、その関連情報が選択された場合、画面の表示は、放送中の番組の映像の画面に切り替えられる。
【００７８】
図６は、関連情報が一覧表示されている図５の状態でリモートコントローラに設けられるオプションボタンが１回だけ押されたときに表示される画面の例を示す図である。
【００７９】
図５の状態でオプションボタンが押されたとき、録画済みの番組の情報が並べて表示されているときにオプションボタンが押されたときと同様に、図６に示されるように、画面の右端にオプションメニューＭが表示される。オプションメニューＭには、関連情報を表示するときに選択される「関連情報」の項目も表示される。
【００８０】
すなわち、関連情報の一覧の中から所定の関連情報がカーソルＣ2によって選択され、関連情報を表示することがさらに指示されたとき、選択された関連情報に関連する関連情報の問い合わせがECGサーバ３に対して行われ、問い合わせに応じて取得された関連情報が一覧表示されるようになされている。上述したように、ECGサーバ３においては、それぞれの関連情報に対しても、内容的に関連性のある関連情報が対応付けて管理されている。
【００８１】
ユーザにより選択されている関連情報に関連性のある情報が録画装置１内にある場合、その情報も関連情報として表示される。どの関連情報とどの関連情報が関連しているかは、例えばECGサーバ３から送信されてきた情報に基づいて判断される。
【００８２】
図７は、図６のオプションメニューＭから「関連情報」の項目が選択されたときに表示される関連情報の一覧の例を示す図である。
【００８３】
「関連情報」の項目が選択されたとき、図６の一覧においてユーザにより選択されていたWebサイトである「三沢寿明のプロフィール」の関連情報の問い合わせが行われ、問い合わせに応じてECGサーバ３から送信されてきた情報と、録画装置１内において管理されていた情報に基づいて、図７に示されるような関連情報の一覧が表示される。
【００８４】
図７の例においては、図６において一覧表示されていた画像４１乃至４６に替えて、縦方向に並べて、関連情報を表す画像である画像５１乃至５６が表示されている。
【００８５】
画像５１、画像５２は、ユーザにより選択されている関連情報に関連する宣伝番組を表す画像であり、画像５３、画像５４は、ユーザにより選択されている関連情報に関連するグッズを販売するECサイトを表す画像である。画像５５、画像５６は、ユーザにより選択されている関連情報に関連する情報を掲載しているWebサイトを表す画像である。
【００８６】
ユーザは、図７の一覧において、カーソルＣ2によって所定の関連情報を選択し、所定の操作を行うことによって関連情報の詳細を見ることができる。
【００８７】
図８は、関連情報の階層の例を示す図である。
【００８８】
図８において左側に示される画像Ｐ1は、タイトルリストから選択された１つの録画済みの番組を表す。例えば、この画像Ｐ1により表される番組がユーザにより選択され、関連情報の表示が指示されたとき、矢印Ａ1の先に示されるように、ユーザにより選択されている番組の関連情報を表す画像Ｐ11乃至Ｐ16が表示される。
【００８９】
また、画像Ｐ11乃至Ｐ16により表される関連情報の中から画像Ｐ14により表される関連情報が選択され、関連情報の表示が指示されたとき、矢印Ａ2の先に示されるように、ユーザにより選択されている関連情報の関連情報を表す画像Ｐ21乃至Ｐ26が表示される。
【００９０】
さらに、画像Ｐ21乃至Ｐ26により表される関連情報の中から画像Ｐ21により表される関連情報が選択され、関連情報の表示が指示されたとき、矢印Ａ3の先に示されるように、ユーザにより選択されている関連情報の関連情報を表す画像Ｐ31乃至Ｐ36が表示される。
【００９１】
このように、ユーザは、関連情報の表示を指示する操作を繰り返すことで、関連情報を辿っていくことができる。
【００９２】
以上においては、録画済みの番組の情報が並べて表示されるタイトルリストから関連情報の表示が指示されたときの表示の切り替えについて説明したが、関連情報を表示するときの起点になる番組の選択は、タイトルリストから行われるものに限られない。
【００９３】
例えば、図９に示されるように、放送中の、または録画済みの番組の映像を表示している状態においてユーザによりリモートコントローラのオプションボタンが１回だけ押されたとき、図１０に示されるように、オプションメニューＭが画面の右端に表示され、この画面から、視聴中の番組を起点にして関連情報の表示が行われる。
【００９４】
オプションメニューＭから関連情報の項目が選択されたとき、視聴中の番組の関連情報の問い合わせがECGサーバ３に対して行われ、ECGサーバ３から送信されてきた情報に基づいて、図５に示されるような関連情報の一覧が図１０の画面に替えて表示される。
【００９５】
以上のようにして画面の表示を切り替える録画装置１の処理についてはフローチャートを参照して後述する。
【００９６】
図１１は、録画装置１のハードウエア構成例を示すブロック図である。
【００９７】
CPU(Central Processing Unit)１０１は、ROM(Read Only Memory)１０２、または記憶部１０９に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【００９８】
CPU１０１にはまた、バス１０４を介して入出力インタフェース１０５が接続されている。入出力インタフェース１０５には、受信部１０６、入力部１０７、出力部１０８、記憶部１０９、通信部１１０、およびドライブ１１１が接続されている。
【００９９】
受信部１０６は、アンテナ１０６Ａからの放送波信号を受信、復調し、MPEG-TS(Moving Picture Experts Group-Transport Stream)を取得する。受信部１０６は、録画の対象になっている番組のデータやEPGデータをMPEG-TSから取得し、取得したデータを入出力インタフェース１０５を介して記憶部１０９に出力する。
【０１００】
入力部１０７は、リモートコントローラからの信号を受信し、ユーザの操作の内容を表す情報を入出力インタフェース１０５、バス１０４を介してCPU１０１に出力する。
【０１０１】
出力部１０８は、再生が指示された番組のデータをデコードし、得られた映像信号と音声信号に基づいて、番組の映像と音声をテレビジョン受像機２に表示させる。
【０１０２】
記憶部１０９は例えばハードディスクからなり、CPU１０１が実行するプログラムや、入出力インタフェース１０５を介して受信部１０６から供給された番組、EPGデータなどの各種のデータを記憶する。
【０１０３】
通信部１１０は、サーバと通信を行い、インターネットを介して行われる放送によって配信される番組のデータや、サーバが配信するEPGデータを取得する。通信部１１０は、取得したデータを入出力インタフェース１０５を介して記憶部１０９に出力し、記憶させる。また、通信部１１０は、ECGサーバ３とネットワーク４を介して通信を行い、関連情報の問い合わせを行ったり、問い合わせに応じてECGサーバ３から送信されてきた関連情報を受信したりする。
【０１０４】
ドライブ１１１は、光ディスクなどのリムーバブルメディア１１２に録画済みの番組をダビングしたり、リムーバブルメディア１１２に記憶されているプログラムやデータを取得したりする。取得されたプログラムやデータは、必要に応じて記憶部１０９に転送され、記憶される。
【０１０５】
図１２は、録画装置１の機能構成例を示すブロック図である。図１２に示す機能部のうちの少なくとも一部は、図１１のCPU１０１により所定のプログラムが実行されることによって実現される。
【０１０６】
図１２に示されるように、録画装置１においては、関連情報取得部１２１、関連情報管理部１２２、および表示制御部１２３が実現される。
【０１０７】
関連情報取得部１２１は、関連情報の表示がユーザにより指示された場合、タイトルリストからユーザにより選択されている番組の情報を通信部１１０を制御してECGサーバ３に通知し、関連情報の問い合わせを行う。入力部１０７からは、ユーザの操作の内容を表す情報が供給される。
【０１０８】
関連情報が一覧表示されている状態において所定の関連情報が選択され、関連情報の表示がユーザによりさらに指示された場合も同様に、関連情報取得部１２１は、ユーザにより選択されている関連情報をECGサーバ３に通知し、関連情報の問い合わせを行う。
【０１０９】
関連情報取得部１２１は、番組の録画が完了したとき、録画が完了した番組の関連情報をECGサーバ３に問い合わせることなども行う。
【０１１０】
関連情報取得部１２１は、問い合わせに応じてECGサーバ３から送信されてきた関連情報を受信し、受信した関連情報を関連情報管理部１２２に出力する。
【０１１１】
関連情報管理部１２２は、関連情報取得部１２１によりECGサーバ３から取得された関連情報を記憶部１０９に記憶させて保存する。
【０１１２】
また、関連情報管理部１２２は、録画済みの番組として記憶部１０９に記憶されている連続ドラマの番組のデータから次回予告の部分をECGサーバ３から送信されてきた情報などに基づいて抽出し、抽出した部分を録画済みの宣伝番組として管理したり、録画したCMから宣伝番組をECGサーバ３から送信されてきた情報などに基づいて抽出し、抽出した部分を録画済みの宣伝番組として管理したりする。
【０１１３】
さらに、関連情報管理部１２２は、ECGサーバ３から送信されてきた情報などに基づいて、録画済みの番組と録画済みの他の番組、録画済みの番組と放送中の番組を関連番組として管理する。
【０１１４】
関連情報管理部１２２は、記憶部１０９に記憶させて管理している情報を表示制御部１２３に出力し、関連情報の一覧の表示に用いさせる。
【０１１５】
表示制御部１２３は、出力部１０８を制御し、タイトルリストの表示をユーザによる操作に応じて切り替える。例えば、表示制御部１２３は、記憶部１０９に記憶されている録画済みの番組の情報を読み出し、読み出した情報を並べて表示させることによってタイトルリストを表示させる。
【０１１６】
また、表示制御部１２３は、関連情報を一覧表示することが指示されたとき、関連情報管理部１２２から供給された情報に基づいて関連情報を一覧表示させる。
【０１１７】
ここで、以上のような構成を有する録画装置１の処理について説明する。
【０１１８】
はじめに、図１３のフローチャートを参照して、関連情報を取得する録画装置１の処理について説明する。
【０１１９】
この処理は、録画の対象になっている番組の放送が終了したときに開始される。番組の放送が行われている間、受信部１０６により取得された番組のデータは入出力インタフェース１０５を介して記憶部１０９に供給され、記憶される。
【０１２０】
ステップＳ１において、受信部１０６は、放送が終了することに応じて番組の録画を完了させる。録画済みの番組やCMから宣伝番組が抽出されたとき、宣伝番組の録画が完了したとして扱われる。
【０１２１】
ステップＳ２において、関連情報取得部１２１は、録画が完了した番組の種類が、通常の番組であるか、放送予定の番組の予告などの宣伝番組であるかを判定する。通常の番組とは宣伝番組以外の番組をいう。
【０１２２】
録画が完了した番組の種類が通常の番組であるとステップＳ２において判定した場合、ステップＳ３において、関連情報取得部１２１は、ECGサーバ３に対して問い合わせを行うことによって、録画が完了した番組の関連情報を取得する。例えば、録画が完了した番組を特定するための情報として、録画が完了した番組のIDや、放送日時とチャンネル番号などの情報がECGサーバ３に通知され、問い合わせが行われる。関連情報取得部１２１により取得された関連情報は関連情報管理部１２２に出力される。
【０１２３】
図１４は、通常番組の録画が完了したときの関連情報の選択の例を示す図である。
【０１２４】
図１４の例においては、録画が完了した通常番組に関連する番組として番組Ａ、番組Ｂ、番組Ｃの３つの番組がECGサーバ３において管理されており、これらの番組の情報が関連情報として録画装置１により取得される。
【０１２５】
図１３の説明に戻り、一方、録画が完了した番組の種類が宣伝番組であるとステップＳ２において判定した場合、ステップＳ４において、関連情報取得部１２１は、ECGサーバ３に対して問い合わせを行うことによって、録画が完了した宣伝番組によって宣伝対象になっている番組の関連情報を取得する。関連情報取得部１２１により取得された関連情報は関連情報管理部１２２に出力される。
【０１２６】
図１５は、宣伝番組の録画が完了したときの関連情報の選択の例を示す図である。
【０１２７】
録画が完了した番組が宣伝番組である場合、図１５に示されるように、録画済みの宣伝番組によって宣伝対象になっている番組の情報が関連情報として取得される。
【０１２８】
ステップＳ３、またはステップＳ４において関連情報が取得された後、ステップＳ５において、関連情報管理部１２２は、関連情報取得部１２１から供給された関連情報を記憶部１０９に保存する。
【０１２９】
番組の録画が完了する毎に以上の処理が行われ、記憶部１０９には、録画済みの全ての番組の関連情報が記憶される。
【０１３０】
次に、図１６のフローチャートを参照して、関連情報の一覧を表示する録画装置１の処理について説明する。
【０１３１】
この処理は、タイトルリストから所定の番組が選択されている状態においてオプションボタンが１回だけ押され、図４に示されるようにオプションメニューＭが画面の右端に表示されているときに開始される。放送中の、または録画済みの番組の視聴が行われている状態においてオプションボタンが１回だけ押され、図１０に示されるように番組の映像に重ねてオプションメニューＭが画面の右端に表示されているときにも同様の処理が行われる。
【０１３２】
オプションメニューＭに表示される「関連情報」の項目が選択されたとき、ステップＳ１１において、関連情報取得部１２１はその操作を受け付ける。
【０１３３】
ステップＳ１２において、関連情報取得部１２１は、ECGサーバ３に問い合わせることによって、ユーザにより選択されている番組の関連情報を取得し、取得した関連情報を関連情報管理部１２２に出力する。以降の処理は、録画装置１内において管理されている情報を用いた処理となる。
【０１３４】
関連情報管理部１２２においては、記憶部１０９に記憶されている録画済みの番組がそれぞれ注目され、注目されている録画済みの番組が、ユーザにより選択されている番組の関連番組であるか否かについてのチェックが行われる。例えば、ある番組の録画が完了したときに図１３の処理が行われることによって取得された関連情報が、ユーザにより選択されている番組の情報である場合、その番組と、ユーザにより選択されている番組は関連番組として判断される。
【０１３５】
ステップＳ１３において、関連情報管理部１２２は、ユーザにより選択されている番組の関連番組であるかについて未チェックの録画済みの番組があるか否かを判定する。
【０１３６】
未チェックの録画済みの番組があるとステップＳ１３において判定した場合、ステップＳ１４において、関連情報管理部１２２は、未チェックの１つの録画済みの番組に注目し、注目している録画済みの番組の関連情報を記憶部１０９から読み出して取得する。注目している番組の関連情報は、その録画が完了したときに図１３の処理が行われることによって記憶部１０９に記憶されている。
【０１３７】
ステップＳ１５において、関連情報管理部１２２は、注目している未チェックの録画済みの番組の種類が、通常の番組であるか、宣伝番組であるかを判定する。
【０１３８】
未チェックの録画済みの番組の種類が通常の番組であるとステップＳ１５において判定した場合、ステップＳ１６において、関連情報管理部１２２は、ステップＳ１４で取得した未チェックの録画済みの番組の関連情報に基づいて、注目している未チェックの録画済みの番組の関連番組として、ユーザにより選択されている番組が含まれるか否かを判定する。
【０１３９】
注目している未チェックの録画済みの番組の関連番組として、ユーザにより選択されている番組が含まれるとステップＳ１６において判定した場合、ステップＳ１７において、関連情報管理部１２２は、注目している未チェックの録画済みの番組の情報を、ユーザにより選択されている番組の関連情報としてステップＳ１２で取得した関連情報に追加する。
【０１４０】
ステップＳ１７において関連情報が追加された場合、または、注目している未チェックの録画済みの番組の関連番組として、ユーザにより選択されている番組が含まれないとステップＳ１６において判定された場合、ステップＳ１３に戻り、以上の処理が繰り返される。
【０１４１】
図１７、および図１８を参照して、関連情報の選択について説明する。
【０１４２】
図１７は、ステップＳ１２においてECGサーバ３から取得された関連情報の例を示す図である。
【０１４３】
図１７の例においては、ユーザにより選択されている番組Ａの関連情報として、番組Ｂの情報、番組Ｃの情報、WebサイトＡの情報、および、ECサイトＡの情報がECGサーバ３から取得されている。
【０１４４】
図１８は、関連情報の選択の例を示す図である。
【０１４５】
図１８の例においては、注目されている未チェックの録画済みの番組が番組Ｄとされ、その関連情報として、番組Ａの情報、番組Ｅの情報、および番組Ｆの情報が記憶部１０９から取得されている。
【０１４６】
この場合、図１８の太線矢印で示されるように、注目されている未チェックの録画済みの番組である番組Ｄの関連情報の中に、ユーザにより選択されている番組Ａの情報があるから、番組Ｄは番組Ａの関連番組とされ、ECGサーバ３から取得された番組Ａの関連情報に番組Ｄの情報が追加される。
【０１４７】
例えば、番組Ａの関連情報の一覧から録画済みの番組Ｄの情報が選択されたとき、番組Ｄの再生が開始される。
【０１４８】
図１６の説明に戻り、一方、注目している未チェックの録画済みの番組の種類が宣伝番組であるとステップＳ１５において判定した場合、ステップＳ１８において、関連情報管理部１２２は、注目している未チェックの録画済みの宣伝番組によって宣伝対象とされている番組の情報が、ステップＳ１２においてECGサーバ３から取得された関連情報に含まれるか否かを判定する。
【０１４９】
未チェックの録画済みの宣伝番組によって宣伝対象とされている番組の情報が、ECGサーバ３から取得された関連情報に含まれるとステップＳ１８において判定した場合、ステップＳ１９において、関連情報管理部１２２は、未チェックの録画済みの宣伝番組を、ユーザにより選択されている番組の関連番組とし、その未チェックの録画済みの宣伝番組の情報を、ユーザにより選択されている番組の関連情報としてステップＳ１２で取得した関連情報に追加する。
【０１５０】
ステップＳ１９において関連情報が追加された場合、または、注目している未チェックの録画済みの宣伝番組によって宣伝対象とされている番組の情報が、ECGサーバ３から取得された関連情報に含まれていないとステップＳ１８において判定された場合、ステップＳ１３に戻り、以上の処理が繰り返される。
【０１５１】
図１９を参照して、関連情報の選択について説明する。
【０１５２】
図１９の例においては、注目されている未チェックの録画済みの宣伝番組は番組Ｇとされ、番組Ｇによって宣伝対象となっている番組は番組Ｂとされている。また、ユーザにより選択されている番組Ａの関連情報として図１７に示されるものと同じ情報がECGサーバ３から取得されている。
【０１５３】
この場合、図１９の太線矢印で示されるように、ユーザにより選択されている番組Ａの関連情報としてECGサーバ３から取得された情報の中に、注目されている未チェックの録画済みの番組Ｇによって宣伝対象とされている番組Ｂの情報があるから、ECGサーバ３から取得された番組Ａの関連情報に番組Ｇの情報が追加される。
【０１５４】
例えば、番組Ａの関連情報の一覧から録画済みの番組Ｇの情報が選択されたとき、番組Ｂの予告である番組Ｇの再生が開始される。
【０１５５】
図１６の説明に戻り、ステップＳ１３において、ユーザにより選択されている番組を関連番組とするかについて未チェックの録画済みの番組がないと判定された場合、ステップＳ１２でECGサーバ３から取得された情報と、それに追加された情報が関連情報管理部１２２から表示制御部１２３に供給され、ステップＳ２０において、表示制御部１２３は、関連情報管理部１２２から供給された情報に基づいて関連情報の一覧を表示させる。図５に示されるような関連情報の一覧が表示された後、処理は終了される。
【０１５６】
以上の処理により、ECGサーバ３から取得された情報だけでなく、録画装置１内に保存されている情報の中から選択された情報も関連情報として追加することができ、関連情報の一覧を録画装置１の利用状況に応じて変化させたり、関連情報の一覧をよりリッチなものにすることができる。
【０１５７】
ユーザは、リッチなものとされた関連情報の一覧から、録画済みの番組の情報以外の情報をも確認することができる。
【０１５８】
以上においては、オプションメニューＭから関連情報の一覧を表示することが指示されたとき、ユーザにより選択されている番組の情報を含む関連情報の問い合わせがECGサーバ３に対して行われるものとしたが、一度、ユーザにより選択されている番組に関連するキーワードの問い合わせがECGサーバ３に対して行われるようにしてもよい。問い合わせに応じてECGサーバ３から取得されたキーワードは一覧表示され、その中から所定のキーワードが選択されたとき、選択されたキーワードに対応付けて管理されている関連情報の問い合わせがECGサーバ３に対して行われ、問い合わせに応じて取得された関連情報が表示される。
【０１５９】
これにより、ユーザは、選択した番組に関連するキーワードを確認し、キーワードを起点にして関連情報の問い合わせや、内部の情報を対象にした関連情報の検索を行わせることができる。
【０１６０】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０１６１】
インストールされるプログラムは、例えば、図１１に示されるリムーバブルメディア１１２に記憶して、あるいは、ローカルエリアネットワーク、インターネット、デジタル衛星放送といった、有線または無線の伝送媒体を介して提供される。プログラムは、ROM１０２や記憶部１０９に、あらかじめインストールしておくことができる。
【０１６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６３】
本発明の実施の形態は、上述した実施の形態に限定されるものではなく、本発明の要旨を逸脱しない範囲において種々の変更が可能である。
【図面の簡単な説明】
【０１６４】
【図１】本発明の一実施形態に係る録画装置を含む通信システムの構成例を示す図である。
【図２】メニュー画面の例を示す図である。
【図３】タイトルリストの表示例を示す図である
【図４】タイトルリストの表示例を示す他の図である。
【図５】関連情報の一覧の表示例を示す図である。
【図６】関連情報の一覧の他の表示例を示す図である。
【図７】関連情報の一覧のさらに他の表示例を示す図である。
【図８】関連情報の階層の例を示す図である。
【図９】番組視聴中の画面の表示例を示す図である。
【図１０】番組視聴中の画面の他の表示例を示す図である。
【図１１】録画装置のハードウエア構成例を示すブロック図である。
【図１２】録画装置の機能構成例を示すブロック図である。
【図１３】録画装置の関連情報取得処理について説明するフローチャートである。
【図１４】通常番組の録画が完了したときの関連情報の選択の例を示す図である。
【図１５】宣伝番組の録画が完了したときの関連情報の選択の例を示す図である。
【図１６】録画装置の関連情報一覧表示処理について説明するフローチャートである。
【図１７】関連情報の例を示す図である。
【図１８】関連情報の選択の例を示す図である。
【図１９】関連情報の選択の他の例を示す図である。
【符号の説明】
【０１６５】
１  録画装置，  ２  テレビジョン受像機，  ３  ECGサーバ，  ４  ネットワーク，  １２１  関連情報取得部，  １２２  関連情報管理部，  １２３  表示制御部
【図１】
2009060328.tif 000003
【図２】
2009060328.tif 000004
【図３】
2009060328.tif 000005
【図４】
2009060328.tif 000006
【図５】
2009060328.tif 000007
【図６】
2009060328.tif 000008
【図７】
2009060328.tif 000009
【図８】
2009060328.tif 000010
【図９】
2009060328.tif 000011
【図１０】
2009060328.tif 000012
【図１１】
2009060328.tif 000013
【図１２】
2009060328.tif 000014
【図１３】
2009060328.tif 000015
【図１４】
2009060328.tif 000016
【図１５】
2009060328.tif 000017
【図１６】
2009060328.tif 000018
【図１７】
2009060328.tif 000019
【図１８】
2009060328.tif 000020
【図１９】
2009060328.tif 000021